(57)【要約】【課題】コーディネートを考慮して靴下を陳列することにより、消費者の購買意欲を喚起できる靴下陳列用具を提供する。【解決手段】靴下陳列用具１００にて陳列される靴下ＳＣは、保持部によって保持された状態で、上部前面板（第１の表示部）１２２に表示されたズボンの画像と、下部前面板１３２（第２の表示部）に表示された革靴の画像の間を通して、消費者により視認される。このため消費者は、実際に靴下ＳＣを着用したコーディネートを容易にイメージすることができ、それにより消費者の購買意欲が喚起される。【選択図】図４
0003228130.tif 000002
【実用新案登録請求の範囲】
【請求項１】
衣類の一部の画像を表示した第１表示部と、
前記第１表示部に対して隙間をあけて配置され、履物の画像を表示した第２表示部と、
靴下を保持する保持部と、を有し、
前記保持部に保持された靴下は、前記第１表示部と前記第２表示部との隙間を通して視認可能となっていることを特徴とする靴下陳列用具。
【請求項２】
１枚の板材を折り曲げるとともに、一部を接着することによって前記保持部が形成されることを特徴とする請求項１に記載の靴下陳列用具。
【請求項３】
前記第１表示部に表示される前記画像と、前記第２表示部に表示される前記画像のうち少なくとも一方は、前記板材に印刷されていることを特徴とする請求項２に記載の靴下陳列用具。
【請求項４】
前記靴下陳列用具は、該靴下陳列用具を載置面上に立脚させるための支持装置を有し、
前記支持装置により前記靴下陳列用具を立脚させたとき、前記第２表示部の上方に前記第１表示部が配置されることを特徴とする請求項２または３に記載の靴下陳列用具。
【請求項５】
前記支持装置は、ベース板と、前記ベース板に連結され前記ベース板に対して折り曲げ可能な羽根板と、前記羽根板を折り曲げた状態に係止する係止板とを有することを特徴とする請求項４に記載の靴下陳列用具。
【請求項６】
透明な板と、前記透明な板の一方の側に、前記第１表示部と前記第２表示部が配置され、前記透明な板の他方の側に、前記保持部が配置されることを特徴とする請求項１に記載の靴下陳列用具。
【請求項７】
前記保持部は、前記靴下陳列用具を載置面上に立脚させるための支持装置を兼ねており、
前記支持装置により前記靴下陳列用具を立脚させたとき、前記第２表示部の上方に前記第１表示部が配置されることを特徴とする請求項６に記載の靴下陳列用具。
【請求項８】
前記第１表示部に表示される前記画像と、前記第２表示部に表示される前記画像のうち少なくとも一方は、交換可能であることを特徴とする請求項１〜７のいずれか一項に記載の靴下陳列用具。
【考案の詳細な説明】
【技術分野】
【０００１】
本考案は、靴下陳列用具に関する。
【背景技術】
【０００２】
販売店において販売される靴下は、一般的には畳まれた状態で包装されており、消費者は、包装された靴下を見ただけでは、自分が靴下を着用したイメージを想像することが難しい。これに対し、特許文献１には、平面状のシートを立体的に組み立てることによって、人が足に履く足被覆衣類を陳列するためのレッグトルソーが開示されている。
【先行技術文献】
【特許文献】
【０００３】
【特許文献１】実用新案登録第３２００６６７号明細書
【考案の概要】
【考案が解決しようとする課題】
【０００４】
特許文献１のレッグトルソーによれば、靴下などをかぶせて立体的に陳列できるため、消費者は畳んだ状態の靴下を見る場合よりも、靴下を着用したイメージを想像することができる。しかしながら、消費者は、靴やボトムスなどとのコーディネートを考えて、靴下の購入を決めることが多い。したがって、靴やボトムスなどとのコーディネートを考慮することなく、靴下が単独で立体的に陳列されていたとしても、それだけでは十分な購買意欲が喚起されないという問題がある。
【０００５】
本考案は、かかる従来技術の問題点に鑑みてなされたものであり、コーディネートを考慮して靴下を陳列することにより、消費者の購買意欲を喚起できる靴下陳列用具を提供することを目的とする。
【課題を解決するための手段】
【０００６】
本考案の靴下陳列用具は、
衣類の一部の画像を表示した第１表示部と、
前記第１表示部に対して隙間をあけて配置され、履物の画像を表示した第２表示部と、
靴下を保持する保持部と、を有し、
前記保持部に保持された靴下は、前記第１表示部と前記第２表示部との隙間を通して視認可能となっていることを特徴とする。
【考案の効果】
【０００７】
本考案によれば、コーディネートを考慮して靴下を陳列することにより、消費者の購買意欲を喚起できる靴下陳列用具を提供することができる。
【図面の簡単な説明】
【０００８】
【図１】図１は、第１実施形態の靴下陳列用具を、陳列すべき靴下とともに示す斜視図である。
【図２】図２は、靴下陳列用具の展開図である。
【図３】図３は、靴下陳列用具を陳列台に立脚させた状態で示す側面図である。
【図４】図４は、靴下陳列用具に靴下を収容して陳列する状態を示す斜視図である。
【図５】図５は、第２実施形態の靴下陳列用具を、陳列すべき靴下とともに示す斜視図である。
【図６】図６は、靴下陳列用具を分解した状態で示す斜視図である。
【図７】図７は、靴下陳列用具に靴下を収容して陳列する状態を示す斜視図である。
【考案を実施するための形態】
【０００９】
以下、図面を参照して本考案の実施形態について説明する。ここで、「衣類」とは、ズボンやスラックスなどのボトムス、オーバーオール、サロペット、スカート、ワンピース、ドレスなどを含む。また、「履物」とは、ブーツ、パンプス、ローファー、革靴、ビーチサンダル、サンダル、靴、スリッパ、スニーカー、メリージェーン、運動靴、バスケットシューズ、前ゴムシューズ、下駄、上履き、ハイヒールなどを含む。さらに、「靴下」とは、ストッキング、パンティストッキング、タイツ、ニーソックス、ハイソックス、スニーカーソックス、足袋などを含む。
【００１０】
（第１実施形態）
図１は、第１実施形態の靴下陳列用具１００を、陳列すべき靴下とともに示す斜視図である。図２は、靴下陳列用具１００の展開図である。図３は、靴下陳列用具１００を陳列台に立脚させた状態で示す側面図である。
【００１１】
靴下陳列用具１００は、図２に示すような切り抜かれた板材から形成することができ、ベース板１１０と、上部構造１２０と、下部構造１３０とを連設して形成される。なお、板材としては、紙、木材、アクリルなどのプラスチックなどを用いることができるが、ここでは厚紙を使用するものとする。
【００１２】
上部構造１２０は、山折れ線ＦＬ１を境界としてベース板１１０の上端に連結された頂面板１２１と、山折れ線ＦＬ２を境界として頂面板１２１の上端に連結された上部前面板１２２と、山折れ線ＦＬ３を境界として上部前面板１２２の側端に連結された上部側面板１２３と、山折れ線ＦＬ４を境界として上部側面板１２３の側端に連結された上部のりしろ板１２４とを有する。
【００１３】
頂面板１２１は、ベース板１１０に向かって幅狭となるテーパ形状を有する。また、図面に示す上部前面板１２２と、上部側面板１２３と、上部のりしろ板１２４は矩形形状を有するが、板形状は限定されない。頂面板１２１と、上部前面板１２２と、上部側面板１２３には、衣類であるズボンの裾近傍の画像（着色して図示）が印刷（またはシール貼付等）によって形成されており、これらにより第１表示部を構成する。
【００１４】
下部構造１３０は、山折れ線ＦＬ５を境界としてベース板１１０の下部側端に連結された下部側面板１３１と、山折れ線ＦＬ６を境界として下部側面板１３１の側端に連結された下部前面板１３２と、山折れ線ＦＬ７を境界としてベース板１１０の下端に連結された底面板１３３と、山折れ線ＦＬ８を境界として底面板１３３の下端に連結された下部のりしろ板１３４とを有する。
【００１５】
下部前面板１３２は、台形形状を有する。また、図面に示す下部側面板１３１と、底面板１３３と、下部のりしろ板１３４は矩形形状を有するが、板形状は限定されない。下部前面板１３２には、履物である革靴の画像が印刷された紙製の表示板１３５を貼り付け可能となっている。下部前面板１３２に直接、革靴の画像を印刷してもよい。下部前面板１３２に貼り付けられた表示板１３５により、第２表示部を構成する。
【００１６】
ベース板１１０は、矩形板状であって、その下部に支持装置１１１が形成されている。支持装置１１１は、略Ｌ字状である一対の羽根板１１２，１１３と、羽根板１１２，１１３に挟まれた略台形状の係止板１１４とを有する。羽根板１１２は、係止板１１４側の縁に形成された谷折れ線ＦＬ１１，ＦＬ１２を介してベース板１１０に連結され、羽根板１１３も、係止板１１４側の縁に形成された谷折れ線ＦＬ１３，ＦＬ１４を介してベース板１１０に連結されている。また、係止板１１４も、下縁に形成された谷折れ線ＦＬ１５を介してベース板１１０に連結されている。
【００１７】
羽根板１１２，１１３と係止板１１４は、それぞれベース板１１０の一部として形成されており、谷折れ線ＦＬ１１〜ＦＬ１５以外の周囲には切り溝が形成されている。このため、谷折れ線ＦＬ１１〜ＦＬ１５を谷折りすることによって、羽根板１１２，１１３と係止板１１４を、ベース板１１０に対して直角に起立させることができる。羽根板１１２，１１３を直角に立ち上げた後に、係止板１１４を立ち上げて、その端部切欠１１４ａを羽根板１１２，１１３の内方縁に係合させることで、羽根板１１２，１１３を起立状態に維持（係止）できる。なお、羽根板１１２，１１３と係止板１１４を別体の板とし、この板をベース板１１０に接着して支持装置１１１を形成してもよい。
【００１８】
次に、靴下陳列用具１００の組み立てについて説明する。
図２に示すように、上部のりしろ板１２４の表面に接着剤（ハッチングで示す）を塗布した後、山折れ線ＦＬ１〜ＦＬ４で各板を山折りすると、上部のりしろ板１２４がベース板１１０に対面するので、上部のりしろ板１２４をベース板１１０の側縁近傍に接着する。これにより図１に示すように、ボックス状の上部構造１２０が形成される。
【００１９】
また、図２に示すように、下部のりしろ板１３４の表面に接着剤（ハッチングで示す）を塗布した後、山折れ線ＦＬ５〜ＦＬ８で各板を直角に山折りすると、下部のりしろ板１３４が下部前面板１３２に対面するので、下部のりしろ板１３４を下部前面板１３２の下縁近傍に接着する。これにより図１に示すように、ボックス状の下部構造１３０が形成される。さらに、下部前面板１３２に、表示板１３５を接着剤や両面テープ等にて貼り付ける。表示板１３５は、下部のりしろ板１３４の接着前に、あらかじめ下部前面板１３２に貼り付けられていてもよい。
以上で、靴下陳列用具１００の組み立てが完了する。完成された靴下陳列用具１００を前方から見て、上部前面板１２２と下部前面板１３２の表示板１３５との間には、隙間が形成される。
【００２０】
靴下陳列用具１００を靴下の陳列のために用いる場合、まず図２に示す谷折れ線ＦＬ１１〜ＦＬ１５を谷折りすることによって、羽根板１１２，１１３をベース板１１０に対して直角に起立させる。その後、係止板１１４を立ち上げて、図３に示すように、その端部切欠１１４ａを羽根板１１２，１１３の内方縁に係合させることで、羽根板１１２，１１３の起立状態を維持できる。かかる状態で、靴下陳列用具１００は、図３に示すように羽根板１１２，１１３により支持されることにより、上部前面板１２２が下部前面板１３２より上方にある状態で、陳列台（陳列棚を含む）ＴＢの載置面上に立脚させることができる。
【００２１】
靴下陳列用具１００の上部構造１２０及び下部構造１３０は、片側（図１に向かって左側）が開放した状態にある。そこで、陳列したい靴下ＳＣを折りたたんだ状態で、図１に示すように、左側より靴下陳列用具１００に挿入する。ボックス状に形成された上部構造１２０及び下部構造１３０によって、前後方向、上下方向及び側方から靴下ＳＣを保持することができる。すなわち、上部構造１２０及び下部構造１３０が靴下の保持部を構成する。
【００２２】
図４は、靴下陳列用具１００に靴下ＳＣを収容して陳列する状態を示す斜視図である。ここで、販売のために靴下を単体で陳列していても、消費者はファッションとしてコーディネートされた靴下をイメージできず、それにより購買意欲が失われるおそれがある。これに対し本実施形態によれば、靴下陳列用具１００にて陳列される靴下ＳＣは、上部前面板（第１の表示部）１２２に表示されたズボンの画像と、下部前面板１３２の表示板１３５（第２の表示部）に表示された革靴の画像の隙間を通して、消費者により視認される。このため消費者は、実際に靴下ＳＣを着用したコーディネートを容易にイメージすることができ、それにより購買意欲が喚起される。
【００２３】
なお、上部前面板１２２に表示される衣類の画像と、下部前面板１３２に表示される履物の画像は、靴下のコーディネートを提案するために靴下の種類に応じて置換可能である。画像を置換する場合には紳士物に限られず、例えば婦人物などにも交換可能とすることにより、靴下陳列用具を男女共用できるので好ましい。ただし、靴下陳列用具１００を婦人物専用に用いることもできる。一例として、靴下としてストッキング等を陳列するために靴下陳列用具１００を用いる場合、上部前面板１２２に表示される例えばスカートの裾画像と、下部前面板１３２に表示される例えばハイヒールの画像との間隔を大きくあけるように、ベース板１１０の高さ寸法をより高くすることにより、達成できる。表示される画像は写真に限らず、イラストやコンピュータグラフィックス（ＣＧ）等であってもよい。
【００２４】
画像の置換方法としては、上部前面板１２２に印刷される画像を変えたり、下部前面板１３２に貼り付ける表示板１３５の画像を変更したりするほか、両面テープや面ファスナーなどを用いて、異なる衣類や履物の画像を上部前面板１２２や下部前面板１３２に貼り付けることもできる。
【００２５】
また、羽根板１１２，１１３や係止板１１４をベース板１１０に対して起立させなければ、これらはベース板１１０と同じ平面内に存在するため、かさばることがない。そこで、羽根板１１２，１１３や係止板１１４を起立させない状態で、靴下陳列用具１００に収納したまま靴下ＳＣを販売することができる。この場合、靴下陳列用具１００は、例えば贈答用の靴下ＳＣの包装部材として好適に用いることができる。さらに販売された後の靴下陳列用具１００は、購入者等の自宅で、購入した靴下あるいは既存の靴下を整理して収容する靴下収容部材としても利用可能である。これにより、靴下陳列用具１００の廃棄処分を減らして環境保護に貢献できる。
【００２６】
（第２実施形態）
図５は、第２実施形態の靴下陳列用具２００を、陳列すべき靴下とともに示す斜視図である。図６は、靴下陳列用具２００を分解した状態で示す斜視図である。
【００２７】
この実施の形態による靴下陳列用具２００は、透明なアクリル板を組み合わせて形成される本体部２１０と、第１表示板２２０と、第２表示板２３０とを有する。
【００２８】
本体部２１０は、図２に示すように、前面板２１１と、背面板２１２と、左側面板２１３と、右側面板２１４と、底面板２１５とを、その縁部を接合することによって、上部が開放したボックス状に形成されている。前面板２１１の高さは、背面板２１２と左側面板２１３と右側面板２１４の高さより高いと好ましい。前面板２１１以外は、透明である必要はない。
【００２９】
紙やプラスチックの板から形成される第１表示板２２０には、例えばズボンの画像が印刷されている。第１表示板２２０は、両面テープや面ファスナーなどを用いて、前面板２１１の前面上部に交換可能に貼り付けられる。第１表示板２２０に表示される衣類の画像は任意である。
【００３０】
第２表示板２３０には、革靴の画像が印刷されている。第２表示板２３０は、両面テープや面ファスナーなどを用いて、前面板２１１の前面下部に、第１表示板２２０と隙間をあけて交換可能に貼り付けられる。第２表示板２３０に表示される履物の画像は任意である。
【００３１】
靴下陳列用具２００の本体部２１０は、上方が開放した状態にある。そこで、陳列したい靴下ＳＣを折りたたんだ状態で、図５に示すように、上方より靴下陳列用具２００に挿入する。本体部２１０に挿入された靴下ＳＣは、前面板２１１の背面側に配置され、前後方向、左右方向及び下方から保持される。すなわち、本体部２１０が保持部を構成する。
【００３２】
また、本体部２１０は、不図示の陳列台の載置面に対し、底面板２１５が接するようにして立脚させることができる。すなわち、本体部２１０が支持装置を兼ねている。
【００３３】
図７は、靴下陳列用具２００に靴下ＳＣを収容して陳列する状態を示す斜視図である。本実施形態によれば、靴下陳列用具２００にて陳列される靴下ＳＣは、第１表示板（第１の表示部）２２０に表示されたズボンの画像と、第２表示板２３０（第２の表示部）に表示された革靴の画像の間から、透明な前面板２１１を通して消費者により視認される。このため消費者は、実際に靴下ＳＣを着用した際のコーディネートを容易にイメージすることができ、それにより購買意欲が喚起される。
【符号の説明】
【００３４】
１００、２００    靴下陳列用具
１１０  ベース板
１１１  支持装置
１２０  上部構造
１２１  頂面板
１２２  上部前面板
１２３  上部側面板
１２４  上部のりしろ板
１３０  下部構造
１３１  下部側面板
１３２  下部前面板
１３３  底面板
１３４  下部のりしろ板
１３５  表示板
２１０  本体部
２１１  前面板
２１３  左側面板
２１４  右側面板
２１５  底面板
２２０  第１表示板
２３０  第２表示板
ＳＣ  靴下
【図１】
0003228130.tif 000003
【図２】
0003228130.tif 000004
【図３】
0003228130.tif 000005
【図４】
0003228130.tif 000006
【図５】
0003228130.tif 000007
【図６】
0003228130.tif 000008
【図７】
0003228130.tif 000009